(57)【要約】【課題】測定データを記録する記録媒体の改竄を防止でき、証明や監査における記録媒体の信用度を高めるとともに、証明や監査における信用度の高い記録媒体の作成装置を実現すること。【解決手段】測定データ記録部と、測定データ記録部に記録された測定データの属性データと測定装置の属性データを含むラベルが読み取り可能に印字記録されたラベル記録部を有することを特徴とする測定データ記録媒体。【選択図】                    図１
2004158135.tif 000002
【特許請求の範囲】
【請求項１】
測定データ記録部と、
測定データ記録部に記録された測定データの属性データと測定装置の属性データを含むラベルが読み取り可能に印字記録されたラベル記録部を有することを特徴とする測定データ記録媒体。
【請求項２】
記録媒体はリムーバルであることを特徴とする請求項１記載の測定データ記録媒体。
【請求項３】
測定データは、測定対象の物理量に関連した信号であることを特徴とする請求項１または請求項２記載の測定データ記録媒体。
【請求項４】
記録媒体は光ピックアップにより書込み読み出しを行う回転ディスクであることを特徴とする請求項１〜請求項３のいずれかに記載の測定データ記録媒体。
【請求項５】
ラベルには、測定データトレンドの記録パターンを含むことを特徴とする請求項１〜請求項４のいずれかに記載の測定データ記録媒体。
【請求項６】
記録媒体として光ピックアップにより書込み読み出しを行う回転ディスクを用い、この回転ディスクのデータ記録面の非測定データ記録部に、測定データ記録と共通の光ピックアップによりラベルが印字記録されることを特徴とする測定データ記録媒体の作成装置。
【請求項７】
記録媒体に対してデータの書込み読み出しを行う光ピックアップを含むドライブが、測定を行う測定装置に内蔵されていることを特徴とする請求項６記載の測定データ記録媒体の作成装置。
【請求項８】
記録媒体に対してデータの書込み読み出しを行う光ピックアップを含むドライブが、測定を行う測定装置に通信インタフェースを介して接続されるパーソナルコンピュータに内蔵されていることを特徴とする請求項６記載の測定データ記録媒体の作成装置。
【請求項９】
記録媒体に対してデータの書込み読み出しを行う光ピックアップを含むドライブが、測定を行う測定装置に通信インタフェースを介して接続されるパーソナルコンピュータに外部接続されていることを特徴とする請求項６記載の測定データ記録媒体の作成装置。
【発明の詳細な説明】
【０００１】
【発明の属する技術分野】
本発明は、測定データ記録媒体とその作成装置に関し、詳しくは、測定データ記録媒体の信用度の改善向上に関するものである。
【０００２】
【従来の技術】
近年の測定装置は、マイクロコンピュータによるデジタル処理化が一般的であり、測定データを、測定装置に対して出し入れ可能なフロッピー（登録商標）ディスク、Ｚｉｐ（登録商標）ディスク、ＣＤ−Ｒ、パッケージ化された半導体メモリなどのリムーバル記録媒体に記録することも広く行われている。そして、リムーバル記録媒体に記録された測定データは、測定装置のドライブを介して再生表示されたり、パーソナルコンピュータのドライブを介して再生表示される。
【０００３】
ところで、このようなリムーバル記録媒体に記録された測定データは、各種取引や官公庁での証明に用いられることがある。このとき、リムーバル記録媒体の外部には、記録されている測定データを測定した測定装置の型名や製造番号などの測定装置に固有の属性情報、測定データの測定日時や測定条件、測定データの特記情報などのインデックス的な各種データを肉眼で判読できるように可視化ラベルとして書き込むことが行われている。
【０００４】
ところが、可視化ラベルをフェルトペンなどで手書きするのにあたり、測定作業者が測定データと可視化ラベルデータとの関係を取り違えて誤記入してしまう恐れがある。
【０００５】
例えば、測定装置がデータ測定中に測定対象に異常状態が発生したことを検出してアラーム信号を発生させ、リムーバル記録媒体にはこの事実を含む測定データが記録されているものとする。このとき、測定作業者が可視化ラベルを手書きするのにあたり、故意に「アラーム発生無し」と記入すると、簡単に改竄できる。
【０００６】
このような事態が日常的に発生し得る現状は、リムーバル記録媒体に記録された測定データを監査する立場としては、リムーバル記録媒体の外部に手書きされた可視化ラベルデータに対する証明用としての信用度を低く判断せざるを得ず、大きな問題である。
【０００７】
また、可視化ラベルデータを手書きするのにあたり、入手容易な油性ペンが多用されているが、油性ペンによる書込みは容易に入手できるアルコールで拭くことにより消えてしまう点も証明用としては好ましくない。
【０００８】
また、測定データの内容を確認するために測定装置やパーソナルコンピュータのドライブを介して再生表示することは本来の監査業務であるものの、さらに可視化ラベルデータとして手書きされている測定データの作成日付やアラーム発生の有無などを確認することは多大の作業工数を強いることになる。
【０００９】
また、測定装置のユーザーは、測定データの内容をパーソナルコンピュータのドライブを介して再生表示するのにあたり、測定データのみならず、アラームやレンジなども検索できて統合的に扱えるように測定装置専用に作成されたビューアソフトウェアを用いることが多い。
【００１０】
しかし、証明用データや監査用データを確認する官公庁などのパーソナルコンピュータに、その都度所定のビューアソフトウェアをインストールしてもらうことは困難であり、作業性・操作性が劣ることを承知のうえで測定データを汎用テキストデータに変換して提出している現状である。
【００１１】
さらに、可視化ラベルデータを手書きするのにあたり、文字の大きさはペンの太さに依存することから、油性ペンによる書込みでは一般には多量の情報を書き込むことはできない。
【００１２】
【特許文献１】
特開２００１−１２５８５６
【００１３】
特許文献１には、ユーザーが独自に編集した音楽データを記録媒体に記録した場合に、その記録媒体に貼付する印刷ラベルを確実に得ることができるようにした情報処理装置および方法、情報処理システム、並びにプログラム記録媒体に関する発明が開示されている。
【００１４】
特許文献１によれば、従来の手書き作業工数が不要になり、正確かつきれいに印刷されたラベルが得られる。
【００１５】
しかし、特許文献１では、本発明の目的のように、測定データと測定装置固有の属性情報とを関連づけてラベル印刷することは全く意図していない。
【００１６】
【発明が解決しようとする課題】
本発明は、このような点に着目したものであり、その目的は、測定データを記録する記録媒体の改竄を防止でき、証明や監査における記録媒体の信用度を高めることにある。
【００１７】
また他の目的は、証明や監査における信用度の高い記録媒体の作成装置を実現することにある。
【００１８】
【課題を解決するための手段】
このような課題を達成する請求項１記載の発明は、
測定データ記録部と、
測定データ記録部に記録された測定データの属性データと測定装置の属性データを含むラベルが読み取り可能に印字記録されたラベル記録部を有することを特徴とする測定データ記録媒体である。
【００１９】
請求項２記載の発明は、請求項１記載の測定データ記録媒体において、
記録媒体はリムーバルであることを特徴とする。
【００２０】
請求項３記載の発明は、請求項１または請求項２記載の測定データ記録媒体において、
測定データは、測定対象の物理量に関連した入力信号であることを特徴とする。
【００２１】
請求項４記載の発明は、請求項１〜請求項３のいずれかに記載の測定データ記録媒体において、
記録媒体は光ピックアップにより書込み読み出しを行う回転ディスクであることを特徴とする。
【００２２】
これらにより、記録媒体には、測定データ記録部に記録された測定データの属性データと測定装置の属性データを含むラベルが読み取り可能に自動的に印字されるので、記録媒体の改竄を防止でき、証明や監査における記録媒体の信用度を高めることができる。
【００２３】
請求項５記載の発明は、請求項１〜請求項４のいずれかに記載の測定データ記録媒体において、
ラベルには、測定データトレンドの記録パターンを含むことを特徴とする。
【００２４】
これにより、記録媒体の外部に印字された可視化ラベルから、測定対象の物理量に関連したアナログ入力信号の概要を正確に把握できる。
【００２５】
請求項６記載の発明は、
記録媒体として光ピックアップにより書込み読み出しを行う回転ディスクを用い、この回転ディスクのデータ記録面の非測定データ記録部に、測定データ記録と共通の光ピックアップによりラベルが印字記録されることを特徴とする。
【００２６】
請求項７記載の発明は、請求項６に記載の測定装置において、
記録媒体に対してデータの書込み読み出しを行う光ピックアップを含むドライブが、測定を行う測定装置に内蔵されていることを特徴とする。
【００２７】
請求項８記載の発明は、請求項６記載の測定装置において、
記録媒体に対してデータの書込み読み出しを行う光ピックアップを含むドライブが、測定を行う測定装置に通信インタフェースを介して接続されるパーソナルコンピュータに内蔵されていることを特徴とする。
【００２８】
請求項９記載の発明は、請求項６記載の測定装置において、
記録媒体に対してデータの書込み読み出しを行う光ピックアップを含むドライブが、測定を行う測定装置に通信インタフェースを介して接続されるパーソナルコンピュータに外部接続されていることを特徴とする。
【００２９】
これらにより、信用度の高い記録媒体を作成できる。
【００３０】
【発明の実施の形態】
以下、本発明の実施態様を、図面を用いて説明する。なお、本発明における測定データ記録媒体は、ＣＤ−Ｒのように記録媒体を保護ケースから出して用いるものに限るものではなく、記録媒体が保護ケースに収納された状態で用いるものも含むものとする。
【００３１】
図１は本発明に基づく測定データ記録媒体の概念構成図であり、測定データの記録部とラベル記録部を同一面に形成したリムーバル記録媒体であるＣＤ−Ｒの具体例を示している。中央部分の領域Ａは測定データの記録部である。領域Ａの他の外周領域は、ラベル記録部として利用できる。図１の例では、測定期間Ｌ１、測定対象のタグ番号Ｌ２、アラーム発生有無状況Ｌ３、測定装置の固有属性である機種名と製造番号Ｌ４を直径方向に記入している。
【００３２】
なお、ラベル記録部には、
・測定期間日時データ
・測定期間におけるアラーム発生の有無
・測定データトレンドの記録パターン
・測定データのファイル名
・バッチ処理番号
・リムーバル記録媒体への転送記録日時
・測定装置の型名
・測定装置の製造番号
・測定装置の校正日時
・測定作業者名
・リムーバル記録媒体への転送作業者名
・測定結果承認者名
・測定結果承認日
などの各種項目を測定データ記録媒体の使用目的に応じて組み合わせて適宜編集する。
【００３３】
図２はこのようなＣＤ−Ｒの他の具体例の概念図である。図２の例では、中央部分の測定データの記録領域Ａの他の外周領域の円周方向に、ラベルデータの一種として記録領域Ａに記録されている測定データＭＶのトレンドとハイレベル設定値ＨＬとローレベル設定値ＬＬとを円形グラフ状の記録パターンとして記入している。なお、図１に示した他のラベルデータ類も直径や円周の任意の方向に沿って記録できるが、図２では省略している。
【００３４】
図２のラベル記録によれば、記録領域Ａに記録されている測定データの推移概要を再生表示させることなく、正確に目視確認できる。
【００３５】
なお、図１および図２の例では測定データ記録部とラベル記録部をＣＤ−Ｒの同一面に形成する例を説明したが、それぞれを異なる面に形成するものであってもよい。
【００３６】
図３は、これらＣＤ−Ｒに対してデータの書込み読み出しを行う光ピックアップを含むドライブの構成例図である。
測定データ記録部とラベル記録部をＣＤ−Ｒの同一面に形成するのにあたっては、レーザーで情報を記録することにより、レーザーが照射された部分だけメディアの色素の色調が変化することを利用する。この場合には、測定データの記録とラベル印字とを１個の光ピックアップＯＰＵで共通に行うことができ、ラベル印字用の記録ヘッドＰＲＴを別途設けなくてよいので、構成部品を削減できる。
【００３７】
測定データ記録部とラベル記録部をそれぞれＣＤ−Ｒの異なる面に形成するのにあたっては、測定データの記録は光ピックアップＯＰＵで行い、ラベル印字は記録ヘッドＰＲＴで行う。この場合には、各面の全面に測定データまたはラベルデータを記録できるので、同一面に記録する場合よりも多くのデータを記録できる。
【００３８】
なお、上記実施例では、リムーバル記録媒体としてＣＤ−Ｒの例について説明したが、本発明は、フロッピー（登録商標）ディスク、Ｚｉｐディスク、パッケージ化された半導体メモリなどにも適用できるものであり、それぞれの記録媒体に応じたドライブと、インクジェット記録ヘッドやサーマル記録ヘッドなどを用いる。そして、フロッピー（登録商標）ディスク、Ｚｉｐディスク、パッケージ化された半導体メモリなどのように記録媒体が保護ケースに収納された状態で用いるものについては、ラベルは保護ケースの一部分に印字すればよい。
【００３９】
このように、記録媒体には、測定データ記録部に記録された測定データの属性データと測定装置の属性データを含むラベルが読み取り可能に自動的に印字されるので、記録媒体の改竄を防止でき、証明や監査における記録媒体の信用度を高めることができる。
【００４０】
ところで、測定データ記録媒体を作成するのにあたり、以下に説明するａ）〜ｃ）の３つの形態がある。
【００４１】
ａ）測定装置で作成
図４はドライブユニット１０１と記録ヘッド１０２を測定装置１００に組み込む場合の概念構成を示すブロック図である。ここで、測定装置１００は、測定対象の物理量に関連したアナログ入力信号、測定現場からの信号伝送に用いられるパルス変換器からのパルス信号、２値化または多値化されたデジタル信号などを記録する記録計、データ収録装置、オシロスコープなどに代表される計測器や、被検体の医療画像データや心電波形などを測定記録する医療画像装置を含むものとする。
【００４２】
測定装置１００には、測定データ記録媒体として用いるフロッピー（登録商標）ディスク、Ｚｉｐディスク、ＣＤ−Ｒ、ＤＶＤ、パッケージ化された半導体メモリなどのリムーバル記録媒体２００を出し入れ可能に装着するためのドライブユニット１０１と、リムーバル記録媒体２００の一部に測定装置１００に固有の属性情報と測定データに基づくラベルデータを印字する記録ヘッド１０２が設けられている。このような記録ヘッド１０２としては、サーマルプリンタやインクジェットプリンタやレーザープリンタや光学的に記録媒体に対する書込み読み出しを行う光ピックアップなどを用いる。
【００４３】
このように構成される測定装置１００の動作について説明する。
作業者は、測定装置１００のドライブユニット１０１にリムーバル記録媒体２００を装着し、測定データをリムーバル記録媒体２００に転送記録するように指示する。
【００４４】
この指示を受けて、ドライブユニット１０１はリムーバル記録媒体２００への測定データの書込みを実行する。測定データの書込みが終わると、記録ヘッド１０２によるリムーバル記録媒体２００の一部へのラベル印字が行われる。
【００４５】
そして、ラベル印字部１０１によるリムーバル記録媒体２００の一部へのラベル印字が終了すると、リムーバル記録媒体２００は測定装置１００から自動的に排出される。
【００４６】
このように、作業者はリムーバル記録媒体２００を挿入するだけでよく、その後は測定データの転送記録からリムーバル記録媒体２００の排出までの一連の処理が作業者の作業によることなく自動的に実行される。
【００４７】
ｂ）パーソナルコンピュータで作成
図５は、パーソナルコンピュータ３００に組み込まれたドライブユニット３０１で測定データ記録媒体２００を作成する概念構成を示すブロック図である。ここで、測定装置１００とドライブユニット３０１が組み込まれたパーソナルコンピュータ３００は、互いに通信インタフェース１０３，３０２を介して接続されている。なお、ドライブユニット３０１は、前述のように、測定データ記録部とラベル記録部をＣＤ−Ｒの同一面に形成するものとする。
【００４８】
このような構成において、パーソナルコンピュータ３００には、測定装置１００で測定された測定データのみならず、アラームやレンジなども検索できて統合的に扱えるように測定装置１００専用に作成されたビューアソフトウェアがインストールされていて、測定装置１００単体では処理できない他の測定装置の測定データとの複合演算処理などの高度な処理も行えるものである。
【００４９】
これにより、ドライブユニット３０１は、リムーバル記録媒体２００が挿入されると、測定装置１００の測定データのみならずパーソナルコンピュータ３００固有の高度な演算処理結果なども含めて記録するとともに、必要なデータ項目を含むラベル記録部も記録して測定データ記録媒体を作成し、これらの記録が完了すると自動的にリムーバル記録媒体２００を排出する。
【００５０】
ｃ）外付けドライブユニットで作成
図６は、パーソナルコンピュータ３００にインタフェース３０３を介して外付け接続されるドライブユニット４００で測定データ記録媒体２００を作成する概念構成を示すブロック図である。ドライブユニット４００における測定データ記録媒体の作成動作はｂ）のドライブユニット３０１の動作と同一であり、それらの説明は省略する。
【００５１】
図６の構成によれば、用いる記録媒体に応じて適切なドライブユニット４００をパーソナルコンピュータ３００に接続すればよく、ａ）やｂ）の構成に比べて記録媒体の選択自由度が高くなるという効果も得られる。
【００５２】
なお、測定データは、医療画像データや心電波形や筋電波形などの生体情報も含むものであり、大量の測定データの記録が必要な医療分野における医療生体情報と患者属性データとの取り違え防止にも有効である。
【００５３】
また、測定データの他に、必要に応じて測定に関連した音声データや画像データもリムーバル記録媒体に転送記録するようにしてもよい。
【発明の効果】
以上説明したように、本発明によれば、測定データを記録するリムーバル記録媒体の改竄を防止できることから証明や監査における記録媒体の信用度を高めることができ、記録計や医療診断機器などの各種測定装置における実用上の効果は大きい。
【図面の簡単な説明】
【図１】本発明に基づく測定データ記録媒体の概念構成図である。
【図２】本発明に基づくＣＤ−Ｒの他の具体例の概念図である。
【図３】ＣＤ−Ｒに対してデータの書込み読み出しを行う光ピックアップを含むドライブの構成例図である。
【図４】測定装置で測定データ記録媒体を作成する場合の概念図である。
【図５】パーソナルコンピュータで測定データ記録媒体を作成する場合の概念図である。
【図６】パーソナルコンピュータに外部接続するドライブユニットで測定データ記録媒体を作成する場合の概念図である。
【符号の説明】
１００  測定装置
１０１  ドライブユニット
１０２  記録ヘッド
１０３  通信インタフェース
２００  リムーバル記録媒体
３００  パーソナルコンピュータ
３０１  ドライブユニット
３０２  通信インタフェース
３０３  インタフェース
４００  ドライブユニット
【図１】
2004158135.tif 000003
【図２】
2004158135.tif 000004
【図３】
2004158135.tif 000005
【図４】
2004158135.tif 000006
【図５】
2004158135.tif 000007
【図６】
2004158135.tif 000008